(57)【要約】【課題】素子が設けられた回転構造体を一定範囲内で回転させることができる電子機器で、機器の体裁や素子の機能を損ね、または機器の大型化を来たすことなく、しかもフレキシブル基板の絡まりや損傷切断などを生じることなく、回転構造体に設けられた素子と機器本体とを接続できるようにする。【解決手段】回転構造体としてのマイクロホン構造体６０は、素子としてのマイクロホンおよびこれが実装されたフレキシブル基板を内蔵し、支軸６３ａを有する半筒体６３と支軸６５ａを有する半筒体６５とを一体化したものである。フレキシブル基板のリード部６２ａを支軸６３ａ，６５ａ間に挟持し、リード部６２ａに対して垂直な方向に延長するリード部６２ｂを支軸６３ａ，６５ａの周面に１周以上巻回し、接点部６２ｅを機器本体に実装されるコネクタに接続する。【選択図】        図３
2004253604.tif 000002
【特許請求の範囲】
【請求項１】
一端に第１の支軸を有する第１の半筒体と、一端に第２の支軸を有する第２の半筒体とが一体化され、内部にフレキシブル基板が実装され、このフレキシブル基板と接続されて素子が設けられた回転構造体と、この回転構造体を一定範囲内で回転させることができるように支持した機器本体とを備え、
前記フレキシブル基板は、前記回転構造体の回転軸の方向に沿う第１のリード部、およびこの第１のリード部に対して垂直な方向に延長する第２のリード部を有し、前記第１のリード部が、前記第１の支軸と前記第２の支軸との間に挟持され、前記第２のリード部が、前記第１および第２の支軸の周面に１周以上巻回されて前記機器本体に接続された電子機器。
【請求項２】
請求項１の電子機器において、
前記素子は、指向性を有するマイクロホンである電子機器。
【請求項３】
請求項１の電子機器において、
前記素子は、指向性を有するマイクロホンおよび無指向性の２個のマイクロホンである電子機器。
【請求項４】
素子が実装される基板本体部と、
この基板本体部の一端に形成された第１のリード部と、
この第１のリード部に対して垂直な方向に延長する第２のリード部と、
この第２のリード部に対して前記第１のリード部と平行な方向に延長する第３のリード部と、
この第３のリード部に対して前記第２のリード部と平行な方向に延長する第４のリード部と、
この第４のリード部の延長上に形成された接点部と、
からなるフレキシブル基板。
【発明の詳細な説明】
【０００１】
【発明の属する技術分野】
この発明は、マイクロホンなどの素子を回転可能に支持した音声記録再生装置などの電子機器、および、このような電子機器に用いることのできるフレキシブル基板に関する。
【０００２】
【従来の技術】
機器の一部分を他の部分に対して一定範囲内で回転させることができる電子機器では、機器の一部分と他の部分との間の信号や電源の授受のための接続をいかに行うかが問題となる。
【０００３】
この点につき、特許文献１（特開２００２−３６８４４０公報）には、図１３に示すように、スピーカ１０４およびディスプレイ１０５が設けられる筐体１０１を、マイクロホン１０６およびキーパッド１０７が設けられる筐体１０２に、ヒンジ部１０３によって開閉可能に連結した折り畳み型の携帯電話端末で、図１４（Ａ）（Ｂ）に示すようなクランク状のフレキシブル基板１によって筐体１０１内の回路基板と筐体１０２内の回路基板を接続することが示されている。
【０００４】
具体的に、フレキシブル基板１は、コネクタ２ａが設けられる接続部１ａ、帯状部１ｂ、中間部１ｃ、帯状部１ｄ、およびコネクタ２ｅが設けられる接続部１ｅによって構成され、中間部１ｃを軸として帯状部１ｂおよび１ｄを巻回して、その巻回部（緩衝部）３を携帯電話端末のヒンジ部１０３の空洞内に収納し、コネクタ２ａおよび２ｅを筐体１０１および１０２内の回路のコネクタに接続し、筐体１０１，１０２のフロントケースに対してリアカバーを装着してヒンジ部１０３の空洞を閉塞する。
【０００５】
これによって、図１３の携帯電話端末では、筐体１０１を開いたときには、フレキシブル基板１の巻回部３が締められ、逆に筐体１０１を閉じたときには、フレキシブル基板１の巻回部３が弛むことによって、筐体１０１の開閉に伴うフレキシブル基板１の引っ張りや弛みが巻回部３で吸収される。
【０００６】
【特許文献１】
特開２００２−３６８４４０公報。
【０００７】
【発明が解決しようとする課題】
特許文献１に示され、図１３に示したような携帯電話端末のように、一方の筐体１０１をヒンジ部１０３によって他方の筐体１０２に連結する場合には、上述したように、クランク状のフレキシブル基板１の巻回部３をヒンジ部１０３の空洞内に収納し、カバーでヒンジ部１０３の空洞を閉塞することによって、フレキシブル基板１の巻回部３が外部に露出しないようにすることができる。
【０００８】
しかし、機器の一部分を他の部分に対して一定範囲内で回転させることができる電子機器として、図１５（Ａ）（Ｂ）に示すように、回路基板４が実装される装置本体５の、例えば上部に、回路基板６が実装される筒状の回転構造体７が配置される凹部を形成し、この凹部に回転構造体７を軸７ａ，７ｂによって回転可能に支持するものが考えられる。回転構造体７には、回路基板６と接続して、マイクロホンを内蔵し、または小型カメラを取り付けるなど、素子を設ける。
【０００９】
このような電子機器で、図１４に示したようなフレキシブル基板１によって回転構造体７内の回路基板６を装置本体５内の回路基板４に接続しようとすると、上記の巻回部３を装置本体５の凹部上面と回転構造体７との間の隙間８から機器の外部に臨ませるか、装置本体５内に巻回部３を収納する部分を設ける必要がある。
【００１０】
しかしながら、巻回部３を機器の外部に臨ませる場合には、機器の体裁が悪くなるだけでなく、巻回部３が回転構造体７に設けられたマイクロホンや小型カメラなどの素子の邪魔になって、これら素子の機能を阻害する結果となる。また、装置本体５内に巻回部３を収納する部分を設ける場合には、装置本体５の大型化を来たす。
【００１１】
そこで、この発明は、素子が設けられた回転構造体を一定範囲内で回転させることができる電子機器において、機器の体裁や素子の機能を損ね、または機器の大型化を来たすことなく、しかもフレキシブル基板の絡まりや損傷切断などを生じることなく、回転構造体に設けられた素子と機器本体とを接続することができるようにしたものである。
【００１２】
【課題を解決するための手段】
この発明の電子機器は、
一端に第１の支軸を有する第１の半筒体と、一端に第２の支軸を有する第２の半筒体とが一体化され、内部にフレキシブル基板が実装され、このフレキシブル基板と接続されて素子が設けられた回転構造体と、この回転構造体を一定範囲内で回転させることができるように支持した機器本体とを備え、
前記フレキシブル基板は、前記回転構造体の回転軸の方向に沿う第１のリード部、およびこの第１のリード部に対して垂直な方向に延長する第２のリード部を有し、前記第１のリード部が、前記第１の支軸と前記第２の支軸との間に挟持され、前記第２のリード部が、前記第１および第２の支軸の周面に１周以上巻回されて前記機器本体に接続されたものである。
【００１３】
上記のように構成した、この発明の電子機器では、機器本体の回転構造体を支持する部分内にフレキシブル基板のリード部を収納するので、機器の体裁が良くなり、回転構造体に設けられた素子の機能を阻害することがないとともに、リード部の収納部を最小化することができる。
【００１４】
しかも、第２のリード部を回転構造体の第１および第２の支軸の周面に１周以上巻回するので、回転構造体の回転に伴うリード部の弛みや引っ張りを巻回部で吸収することができ、リード部の絡まりや損傷切断などを生じることがない。
【００１５】
【発明の実施の形態】
〔電子機器の一例としてのＩＣレコーダの概略：図１〕
図１は、この発明の電子機器の一例としてのＩＣレコーダの外観構成を示し、図１（Ａ）は、後述の指向性マイクロホンの指向性方向をＩＣレコーダ１０の矢印９ａで示す正面方向とした場合であり、図１（Ｂ）は、指向性マイクロホンの指向性方向をＩＣレコーダ１０の矢印９ｂで示す上方向とした場合である。以下では、矢印９ａの方向を０度方向、矢印９ｂの方向を９０度方向とする。
【００１６】
ＩＣレコーダ１０は、筐体としてフロントカバー１１およびリアケース１２を備え、上部にマイクロホン装置５０が設けられる。
【００１７】
フロントカバー１１の正面部には、ＬＣＤ（液晶ディスプレイ）の画面が臨む窓１３、スピーカからの音波が放射される孔１４、記録モードであるか再生モードであるかを示すＬＥＤ（発光ダイオード）からの光が出射する窓２１、指向性マイクロホンのオン（入）／オフ（切）を切り替える指向性オンオフスイッチ２２、消去ボタン２３などが設けられ、リアケース１２の正面から見て右側の側面には、金属側板１５が取り付けられるとともに、録音／録音一時停止ボタン２４、停止ボタン２５、メニューボタン２６、音量調整ボタン２７などが設けられ、リアケース１２の上面には、イヤホンジャック２８および外部マイクロホンジャック２９が設けられる。
【００１８】
メニューボタン２６は、中央部を押すことによって、ＬＣＤ画面上にメニューを開き、またはメニュー項目を決定し、上部または下部を押し、あるいは前方側または後方側に傾けることによって、メニュー項目の選択などの操作を行うことができるものである。
【００１９】
マイクロホン装置５０は、以下に示すように、回転構造体としての円筒状のマイクロホン構造体６０が支持ベースに回転可能に支持されて構成される。
【００２０】
〔マイクロホン装置の一例：図２〜図１１〕
図２に、図１に示したマイクロホン装置５０の一例を、各構成部品を分解した状態で示す。図示するように、マイクロホン装置５０は、全体としてマイクロホン構造体６０と支持ベース７０によって構成され、マイクロホン構造体６０は、指向性マイクロホン６１Ｃ、左側マイクロホン６１Ｌ、右側マイクロホン６１Ｒ、フレキシブル基板６２、フロントカバー６３、ゴムクッション６４、リアケース６５、ビス６７、板ばね６８、およびビス６９によって構成される。
【００２１】
指向性マイクロホン６１Ｃは、単一指向性を有するマイクロホンであり、左側マイクロホン６１Ｌおよび右側マイクロホン６１Ｒは、それぞれ無指向性のマイクロホンである。なお、左側とは、リアケース６５から見て左側であり、右側とは、リアケース６５から見て右側である。
【００２２】
指向性マイクロホン６１Ｃ、左側マイクロホン６１Ｌおよび右側マイクロホン６１Ｒは、指向性マイクロホン６１Ｃを中央に一列に配列されて、フレキシブル基板６２に実装されるとともに、それぞれゴムクッション６４の孔が形成された凹部に装着されて、一体化される。
【００２３】
フロントカバー６３は、半円筒状のもので、一端に半円柱状の支軸６３ａが形成され、他端に半円状の切り欠き６３ｂが形成され、指向性マイクロホン６１Ｃと対向する中央部の外周面が微細な凹凸面６３ｃとされ、その中央の３行３列に渡る９個の凸部に、それぞれ前方側透孔６３Ｃが形成され、左側マイクロホン６１Ｌと対向する一端部および右側マイクロホン６１Ｒと対向する他端部に、それぞれ透孔６３Ｌおよび６３Ｒが９個ずつ形成される。
【００２４】
リアケース６５も、半円筒状のもので、一端に半円柱状の支軸６５ａが形成され、他端に半環状の軸部６５ｂが形成され、指向性マイクロホン６１Ｃと対向する中央部の外周面の、中央の透孔形成面６６を除く部分が微細な凹凸面６５ｃとされ、中央の透孔形成面６６が凹凸面６５ｃの凸部より凹んだ平面とされ、この透孔形成面６６に後方側透孔６５Ｃが３行３列に渡って９個形成される。
【００２５】
フロントカバー６３、ゴムクッション６４、マイクロホン６１Ｃ，６１Ｌ，６１Ｒ、フレキシブル基板６２およびリアケース６５は、ビス６７がリアケース６５、フレキシブル基板６２およびゴムクッション６４のビス孔を通じてフロントカバー６３に締め付けられることによって、マイクロホン構造体６０として一体化され、その一端の支軸６３ａ，６５ａおよび他端の軸部６５ｂが、支持ベース７０の一端の支持アーム７１および他端の支持アーム７２に嵌め込まれる。
【００２６】
板ばね６８は、この状態でビス６９によってリアケース６５の他端に取り付けられるもので、これには、リアケース６５の軸部６５ｂが挿入される半環状の孔６８ｄが形成され、ビス孔を介して対向する周縁位置に突片６８ａおよび６８ｂが形成されるとともに、突片６８ｂの近傍位置に突起６８ｃが形成される。
【００２７】
支持ベース７０は、支持アーム７１および７２を有するとともに、ビスによって図１に示したＩＣレコーダ１０のリアケース１２に固定するための取付部７３および７４を有するものとして形成され、上記のように支持アーム７１，７２にマイクロホン構造体６０が支持される。
【００２８】
フレキシブル基板６２は、図３、図４および図５に示すように、マイクロホン６１Ｌ，６１Ｃ，６１Ｒの配列方向に沿うリード部６２ａ、このリード部６２ａに対して垂直な方向に延長するリード部６２ｂ、このリード部６２ｂに対して垂直な方向（リード部６２ａと平行な方向）に延長するリード部６２ｃ、このリード部６２ｃに対して垂直な方向（リード部６２ｂと平行な方向）に延長するリード部６２ｄ、および接点部６２ｅを有するものとして、リード部６２ｂが十分長く形成される。
【００２９】
なお、マイクロホン６１Ｌ，６１Ｃ，６１Ｒは、それぞれ２本の端子ピンを有し、それぞれ一方の端子ピンがフレキシブル基板６２上の共通の配線パターンに接続され、それぞれ他方の端子ピンがフレキシブル基板６２上の別個の配線パターンに接続される。
【００３０】
そして、フロントカバー６３とリアケース６５が一体化されるとき、図３に示すように、リード部６２ａが、フロントカバー６３の支軸６３ａとリアケース６５の支軸６５ａとによって挟持され、リード部６２ｂが、その一体化された支軸６３ａ，６５ａの周面に、１周以上、望ましくは２周近く、巻回される。
【００３１】
さらに、図３および図４に示すように、リード部６２ｃが、両面接着テープなどによって支持ベース７０に固定され、図３および図５に示すように、リード部６２ｄが半円筒状に曲げられ、図５に示すように、接点部６２ｅが、図１に示したＩＣレコーダ１０のリアケース１２に取り付けられた回路基板１６に設けられたコネクタ１７に挿入接続される。
【００３２】
図６に示すように、支持アーム７１には、マイクロホン構造体６０の一体化された支軸６３ａ，６５ａの円周部の径と等しい径の中心孔７１ａ、および、この中心孔７１ａと通じる、一体化された支軸６３ａ，６５ａの非円周部の厚みと等しい幅のスリット７１ｂが形成され、マイクロホン構造体６０を前方側透孔６３Ｃが矢印９ａで示す０度方向に対して図３の矢印７５Ｌの方向に見て時計回り方向に４５度回転した−４５度方向に向く状態にして、一体化された支軸６３ａ，６５ａをスリット７１ｂを通じて中心孔７１ａに挿入する。支持アーム７２側についても、同様である。
【００３３】
これによって、マイクロホン構造体６０を、中心孔７１ａの中心を回転軸心として回転させることができ、前方側透孔６３Ｃが向く方向、すなわち指向性マイクロホン６１Ｃの指向性方向を、図７（Ａ）および図１（Ａ）のように矢印９ａで示す０度方向に向け、または図７（Ｂ）および図１（Ｂ）のように矢印９ｂで示す９０度方向に向けることができる。
【００３４】
さらに、この例では、図８および図９に示すように、支持アーム７２の側面に半環状の凸部７６が形成されて、凸部７６の一端が停止用段部７７ａとされ、支持アーム７２の側面に停止用凸部７７ｂが形成されるとともに、凸部７６に３つの凹部７８ａ，７８ｃおよび７８ｂが形成される。凹部７８ａと凹部７８ｃの角度、および凹部７８ｃと凹部７８ｂの角度は、それぞれ４５度であり、したがって、凹部７８ａと凹部７８ｂの角度は９０度である。
【００３５】
凹部７８ａは、マイクロホン構造体６０を、図９において（図３の矢印７５Ｒの方向に見て）反時計回り方向に、板ばね６８の突片６８ａが支持アーム７２の停止用段部７７ａに衝突する第１の回転位置まで回転させたとき、板ばね６８の図２に示した突起６８ｃが嵌合するものであり、このとき、図７（Ａ）および図１（Ａ）に示したように、指向性マイクロホン６１Ｃの指向性方向が０度方向となる。
【００３６】
凹部７８ｂは、マイクロホン構造体６０を、図９において（図３の矢印７５Ｒの方向に見て）時計回り方向に、板ばね６８の突片６８ｂが支持アーム７２の停止用凸部７７ｂに衝突する第２の回転位置まで回転させたとき、板ばね６８の突起６８ｃが嵌合するものであり、このとき、図７（Ｂ）および図１（Ｂ）に示したように、指向性マイクロホン６１Ｃの指向性方向が９０度方向となる。
【００３７】
凹部７８ｃは、マイクロホン構造体６０を第１の回転位置と第２の回転位置のちょうど中間の第３の回転位置に回転させたとき、板ばね６８の突起６８ｃが嵌合するものであり、このとき、指向性マイクロホン６１Ｃの指向性方向は４５度方向となる。
【００３８】
すなわち、この例では、マイクロホン構造体６０を第１の回転位置と第２の回転位置との間で９０度回転させることができ、指向性マイクロホン６１Ｃの指向性方向を０度方向と９０度方向との間で変えることができる。
【００３９】
しかも、円筒状のマイクロホン構造体６０の中央部は、微細な凹凸面６３ｃ，６５ｃとされるので、ユーザは、この凹凸面６３ｃ，６５ｃに親指を当ててマイクロホン構造体６０を回すことによって、指が滑ることなく確実かつ容易にマイクロホン構造体６０を回転させ、指向性マイクロホン６１Ｃの指向性方向を変えることができるとともに、マイクロホン構造体６０が第１、第３または第２の回転位置に回転したときには、突起６８ｃが凹部７８ａ，７８ｃまたは７８ｂに嵌合してクリック感が得られるので、ユーザは、指向性マイクロホン６１Ｃの指向性方向を所望の方向に容易かつ確実に設定することができる。
【００４０】
また、図１に示したＩＣレコーダ１０の、フロントカバー１１とリアケース１２が突き合わされる、矢印９ａで示す０度方向に見て右肩の部分内において、図３に示したように、フレキシブル基板６２のリード部６２ａが支軸６３ａ，６５ａ間に挟持され、リード部６２ｂが支軸６３ａ，６５ａの周面に１周以上巻回されるので、フレキシブル基板６２がＩＣレコーダ１０の外部に全く露出せず、装置の体裁が良くなるだけでなく、フレキシブル基板６２がマイクロホン６１Ｃ，６１Ｌ，６１Ｒなどの邪魔にならないとともに、リード部の収納部を最小化することができる。
【００４１】
さらに、マイクロホン構造体６０を指向性マイクロホン６１Ｃの指向性方向が０度方向となる第１の回転位置に向けて図９において（図３の矢印７５Ｒの方向に見て）反時計回り方向に回転させたときには、リード部６２ｂの巻回部が弛み、逆にマイクロホン構造体６０を指向性マイクロホン６１Ｃの指向性方向が９０度方向となる第２の回転位置に向けて図９において（図３の矢印７５Ｒの方向に見て）時計回り方向に回転させたときには、リード部６２ｂの巻回部が締められることによって、マイクロホン構造体６０の回転に伴うリード部６２ｂの弛みや引っ張りが巻回部で吸収されて、リード部６２ｂの絡まりや損傷切断などを生じることなく、マイクロホン構造体６０を回転させることができ、指向性マイクロホン６１Ｃの指向性方向を変えることができる。
【００４２】
図１０に、図１（Ａ）のようにマイクロホン構造体６０を第１の回転位置に回転させ、指向性マイクロホン６１Ｃの指向性方向を０度方向（ＩＣレコーダ１０の正面方向）とした場合の、ＩＣレコーダ１０の上面、上部正面および上部背面を示す。ビス１９は、ＩＣレコーダ１０のフロントカバー１１とリアケース１２を一体化するものである。
【００４３】
この場合、上部背面側では、透孔形成面６６に形成された後方側透孔６５Ｃの一部がリアケース１２の上方において外部に露出する（外部から見える）とともに、透孔形成面６６とリアケース１２の上部前面１２ａとの間に間隙１８が形成されるので、音波の伝播の上で後方側透孔６５Ｃが外部と通じて、後方側透孔６５Ｃから指向性マイクロホン６１Ｃに音波が導入され、指向性マイクロホン６１Ｃは単一指向性を有するマイクロホンとして機能する。
【００４４】
図１１に、図１（Ｂ）のようにマイクロホン構造体６０を第２の回転位置に回転させ、指向性マイクロホン６１Ｃの指向性方向を９０度方向（ＩＣレコーダ１０の上方向）とした場合の、ＩＣレコーダ１０の上面、上部正面および上部背面を示す。
【００４５】
この場合、上部正面側では、透孔形成面６６に形成された後方側透孔６５Ｃの一部がフロントカバー１１の上部上縁１１ａの上方において外部に露出する（外部から見える）とともに、透孔形成面６６とフロントカバー１１およびリアケース１２の上面との間に間隙が形成されるので、音波の伝播の上で後方側透孔６５Ｃが外部と通じて、後方側透孔６５Ｃから指向性マイクロホン６１Ｃに音波が導入され、指向性マイクロホン６１Ｃは単一指向性を有するマイクロホンとして機能する。
【００４６】
図では省略したが、マイクロホン構造体６０を第１の回転位置と第２の回転位置との間のいずれの回転位置に回転させたときにも、すなわち指向性マイクロホン６１Ｃの指向性方向を０度方向と９０度方向との間のいずれの方向にしたときにも、同様に後方側透孔６５Ｃが外部と通じて、後方側透孔６５Ｃから指向性マイクロホン６１Ｃに音波が導入され、指向性マイクロホン６１Ｃは単一指向性を有するマイクロホンとして機能する。
【００４７】
〔ＩＣレコーダの機能：図１２〕
図１〜図１１に示して上述した例のＩＣレコーダ１０は、図１２に示すように、ＣＰＵ９１を備え、そのバス９２に、ＣＰＵ９１が実行する処理プログラムや各種の固定データが書き込まれたＲＯＭ９３、ＣＰＵ９１のワークエリアなどとして機能するＲＡＭ９４、および内蔵メモリとしてのフラッシュメモリ９５が接続される。
【００４８】
また、図１、図１０および図１１に示した指向性オンオフスイッチ２２などを含む操作部９６が、入力インタフェース９７を介してバス９２に接続されるとともに、ＬＣＤ９９が、表示制御部９８を介してバス９２に接続される。
【００４９】
指向性マイクロホン６１Ｃ、左側マイクロホン６１Ｌおよび右側マイクロホン６１Ｒからの音声信号は、音声増幅回路８１Ｃ，８１Ｌおよび８１Ｒで増幅されて、記録処理部８２に供給される。記録処理部８２では、ＣＰＵ９１の制御によって、後述の各種の記録モードに応じて、マイクロホン６１Ｃ，６１Ｌ，６１Ｒからの音声信号が、デジタル音声データに変換され、圧縮される。圧縮された音声データは、フラッシュメモリ９５に記録される。
【００５０】
この例のＩＣレコーダ１０では、記録時、ユーザは、図１に示したメニューボタン２６の操作によってＬＣＤ９９上にメニュー画面を表示させ、記録モードとしてステレオ記録モードとモノラル記録モードのいずれかを選択することができる。
【００５１】
ステレオ記録モードでは、上記の指向性オンオフスイッチ２２がオンにされているかオフにされているかにかかわらず、指向性マイクロホン６１Ｃは機能しないで、無指向性のマイクロホン６１Ｌおよび６１Ｒのみが機能し、マイクロホン６１Ｌ，６１Ｒからの音声信号が、移相処理されて、左右の音声信号として、デジタル音声データに変換され、圧縮された後、フラッシュメモリ９５に記録される。
【００５２】
一方、モノラル記録モードでは、メニュー画面によって、高音質の記録が可能なＳＰモードと長時間の記録が可能なＬＰモードのいずれかを選択することができ、さらに、ＳＰモードとＬＰモードのいずれを選択した場合にも、指向性オンオフスイッチ２２をオンにするかオフにするかによって、指向性モードと無指向性モードのいずれかを選択することができる。
【００５３】
ＳＰモードまたはＬＰモードで、指向性オンオフスイッチ２２をオンして指向性モードを選択したときには、無指向性のマイクロホン６１Ｌおよび６１Ｒは機能しないで、指向性マイクロホン６１Ｃのみが機能し、指向性マイクロホン６１Ｃからの音声信号が、モノラル音声信号として、ＳＰモードであるかＬＰモードであるかに応じて、デジタル音声データに変換され、圧縮された後、フラッシュメモリ９５に記録される。このとき、上述したように指向性マイクロホン６１Ｃの指向性方向を選択することができる。
【００５４】
ＳＰモードまたはＬＰモードで、指向性オンオフスイッチ２２をオフして無指向性モードを選択したときには、指向性マイクロホン６１Ｃは機能しないで、無指向性のマイクロホン６１Ｌおよび６１Ｒのみが機能し、マイクロホン６１Ｌおよび６１Ｒからの音声信号が、モノラル音声信号として合成されて、ＳＰモードであるかＬＰモードであるかに応じて、デジタル音声データに変換され、圧縮された後、フラッシュメモリ９５に記録される。
【００５５】
なお、録音レベルは、いずれの記録モードでも、メニュー画面によって、低レベル、中レベル、高レベルのうちのいずれかに切り替えることができる。
【００５６】
再生時には、ＣＰＵ９１の制御によって、フラッシュメモリ９５から圧縮された音声データが読み出され、その音声データが、再生処理部８３で伸長され、さらにアナログ音声信号に変換される。
【００５７】
この場合、モノラル記録モードで記録された音声信号については、ＳＰモードかＬＰモードかにかかわらず、かつ指向性モードか無指向性モードかにかかわらず、そのモノラル音声信号が、音声増幅回路８４で増幅されてスピーカ８５に供給され、または、音声増幅回路８６Ｌおよび８６Ｒで増幅されて、図１、図１０および図１１に示したイヤホンジャック２８に接続されたイヤホン８７に供給される。
【００５８】
一方、ステレオ記録モードで記録された音声信号については、その左右の音声信号が、音声増幅回路８６Ｌ，８６Ｒで増幅され、ユーザは、イヤホンジャック２８にイヤホン８７を接続することによって、ステレオ音声として聞くことができる。
【００５９】
この例によれば、一方で、指向性マイクロホン６１Ｃをオンとし、その指向性方向を音源の方向に向けることによって、音源からの音声をクリアに記録することができるとともに、他方で、左右のマイクロホン６１Ｌ，６１Ｒによって、臨場感のある録音を行うことができる。
【００６０】
〔他の実施形態〕
上述した例は、回転構造体としてのマイクロホン構造体６０を３方向の回転位置のいずれかに回転させたときクリック感が得られるように装置を構成した場合であるが、マイクロホン構造体６０を４方向以上の回転位置のいずれかに回転させたときクリック感が得られるように装置を構成することもできる。
【００６１】
また、上述した例は、指向性マイクロホン６１Ｃをステレオ用のマイクロホン６１Ｌ，６１Ｒの間に配置した場合であるが、指向性マイクロホン６１Ｃを左側または右側に配置してもよい。もちろん、その場合には、前方側透孔６３Ｃおよび後方側透孔６５Ｃを左側または右側に形成する。
【００６２】
また、マイクロホンとしては、指向性マイクロホンまたは無指向性マイクロホンのみをマイクロホン構造体に内蔵してもよい。さらに、指向性マイクロホンとしては、上述した例の単一指向性マイクロホン以外に、両指向性マイクロホンなど、他の指向性を有するマイクロホンでもよい。
【００６３】
さらに、回転構造体としては、マイクロホン以外の、小型カメラや照明用光源などの素子を、内蔵し、または取り付けてもよく、電子機器としては、ＩＣレコーダのような音声記録再生装置に限らない。
【００６４】
【発明の効果】
上述したように、この発明によれば、素子が設けられた回転構造体を一定範囲内で回転させることができる電子機器において、機器の体裁や素子の機能を損ね、または機器の大型化を来たすことなく、しかもフレキシブル基板の絡まりや損傷切断などを生じることなく、回転構造体に設けられた素子と機器本体とを接続することができる。
【図面の簡単な説明】
【図１】この発明の電子機器の一例としてのＩＣレコーダの外観構成を示す図である。
【図２】マイクロホン装置の一例を示す分解斜視図である。
【図３】回転構造体としてのマイクロホン構造体を支持ベースに支持した状態を示す図である。
【図４】フレキシブル基板の一例を示す図である。
【図５】フレキシブル基板の機器本体内の回路基板への接続を示す図である。
【図６】マイクロホン構造体の一端の支軸を支持アームに嵌め込むときの様子を示す図である。
【図７】指向性マイクロホンの指向性方向を０度方向または９０度方向としたときのマイクロホン構造体の状態を示す図である。
【図８】マイクロホン構造体の保持機構およびクリック機構を示す図である。
【図９】マイクロホン構造体の他端側の支持アームを示す図である。
【図１０】指向性マイクロホンの指向性方向を０度方向としたときのＩＣレコーダの上面および上部を示す図である。
【図１１】指向性マイクロホンの指向性方向を９０度方向としたときのＩＣレコーダの上面および上部を示す図である。
【図１２】ＩＣレコーダの機能ブロック構成の一例を示す図である。
【図１３】特許文献１に記載された折り畳み型の携帯電話端末を示す図である。
【図１４】特許文献１に記載されたフレキシブル基板を示す図である。
【図１５】考えられる電子機器を示す図である。
【符号の説明】
主要部については図中に全て記述したので、ここでは省略する。
【図１】
2004253604.tif 000003
【図２】
2004253604.tif 000004
【図３】
2004253604.tif 000005
【図４】
2004253604.tif 000006
【図５】
2004253604.tif 000007
【図６】
2004253604.tif 000008
【図７】
2004253604.tif 000009
【図８】
2004253604.tif 000010
【図９】
2004253604.tif 000011
【図１０】
2004253604.tif 000012
【図１１】
2004253604.tif 000013
【図１２】
2004253604.tif 000014
【図１３】
2004253604.tif 000015
【図１４】
2004253604.tif 000016
【図１５】
2004253604.tif 000017